(57)【要約】【課題】大きさの割には大きな磁気吸着力を得ることができ、かつ見栄えに優れた輪状装飾品の止め具を提供できるようにする。【解決手段】磁石により形成されて相互に磁気吸着する一方の止め具１１と他方の止め具１２とにより止め具１０を構成し、上記一方の止め具１１及び他方の止め具１２の内部空間内に挿入される輪状装飾品の芯線１３の端部をそれぞれ保持した状態で、上記一方の止め具１１と上記他方の止め具１２とを磁気吸着させて上記芯線１３を輪状に支持できるようにする。【選択図】  図１
2005152335.tif 000002
【特許請求の範囲】
【請求項１】
磁石により形成されて相互に磁気吸着する一方の止め具１１と他方の止め具１２とにより構成された止め具１０であって、
上記一方の止め具１１及び他方の止め具１２は中空の筒形に形成され、上記一方の止め具１１には一方の掛止部１１ａが形成され、上記他方の止め具１２には他方の掛止部１２ａが形成されており、上記一方の掛止部１１ａ及び他方の掛止部１２ａの中央部には透孔１１ｂ、１２ｂがそれぞれ形成されており、
上記一方の止め具１１及び他方の止め具１２の内部空間内に挿入される輪状装飾品の芯線１３の端部を保持した状態で、上記一方の止め具１１と上記他方の止め具１２とを磁気吸着させることにより、上記芯線１３を輪状に支持可能にしたことを特徴とする磁石を用いた輪状装飾品の止め具。
【請求項２】
上記一方の止め具１１及び他方の止め具１２は、鉄（Fe）及びボロン（B）を主成分とする鉄−ボロン系希土類磁石により構成されていることを特徴とする請求項１に記載の磁石を用いた輪状装飾品の止め具。
【請求項３】
請求項１または２に記載の磁石を用いた輪状装飾品の止め具を備えたブレスレットであって、
上記芯線２３上に複数の装飾部材２１、２２が配設されて輪状装飾品が構成されているとともに、上記輪状装飾品に装飾ヘッド２４が取り付けられていることを特徴とする磁石による止め具を備えたブレスレット。
【請求項４】
上記複数の装飾部材２１、２２間に磁石により形成したリング状の飾り部材２５を配設したことを特徴とする請求項３に記載の磁石による止め具を備えたブレスレット。
【請求項５】
請求項１または２に記載の磁石を用いた輪状装飾品の止め具を備えたネックレスであって、
上記芯線２３上に複数の装飾部材２１、２２が配設されて輪状装飾品が構成されているとともに、上記輪状装飾品に装飾ヘッド２４が取り付けられていることを特徴とする磁石による止め具を備えたネックレス。
【請求項６】
上記複数の装飾部材２１、２２間に磁石により形成したリング状の飾り部材２５を配設したことを特徴とする請求項５に記載の磁石による止め具を備えたネックレス。
【請求項７】
上記請求項３または４に記載のブレスレットと、請求項５または６に記載のネックレスとを組み合わせた数珠であって、
上記ブレスレット及びネックレスの装飾ヘッド２４を数珠の房部分として使用することを特徴とするブレスレットとネックレスとを磁石を用いて組み合わせた数珠。
【発明の詳細な説明】
【技術分野】
【０００１】
本発明は磁石を用いた輪状装飾品の止め具、磁石による止め具を備えたブレスレット、磁石による止め具を備えたネックレス、ブレスレットとネックレスとを磁石を用いて組み合わせた数珠に係わる。
【背景技術】
【０００２】
従来、輪状装飾品の止め具として磁石を利用したものが種々提案されている。例えば、特許文献１には「磁石付止め具」が提案されており、特許文献２には「リング状装身具」が提案されている。
【０００３】
上記特許文献１に記載されている「磁石付止め具」は、一対の磁石保持体にそれぞれ複数個の磁石を設けて構成したものであり、一方の磁石保持体の側面に設けた係止凸部と、他方の磁石保持体の側面に設けた係止凹部とからなる回転防止体を設け、これら係止凸部と係止凹部とを係合して磁石保持体相互の回転を防止させる回転防止体を設けて構成している。
【０００４】
また、上記特許文献２に記載の「リング状装身具」は、装飾ヘッドを半割に形成するとともに、上記半割ヘッドの接合面に極性の異なる磁石を埋設し、チェーンの両端に半割ヘッドをそれぞれ取り付けて構成している。
【０００５】
【特許文献１】実登３０５５４４６号公報
【特許文献２】実登３０８８００７号公報
【発明の開示】
【発明が解決しようとする課題】
【０００６】
上記特許文献１にて提案されている「磁石付止め具」、及び上記特許文献２にて提案されている「リング状装身具」の場合、１個または複数個の磁石を止め具本体に埋設して輪状装飾品の止め具を構成している。
【０００７】
このため、輪状装飾品の止め具を製造するための工数が多くなり製造コストが高くなってしまう不都合があった。また、磁気吸着に寄与する磁石は止め具全体の一部であり、止め具の大きさの割には大きな磁気吸着力を得るのに限界があった。
【０００８】
このため、大きな磁気吸着力を得たい場合には、止め具の大きさを大きくしなければならなかったので、止め具自体が目立ってしまう問題があった。
本発明は上述の問題点にかんがみ、大きさの割には大きな磁気吸着力を得ることができ、かつ見栄えに優れた輪状装飾品の止め具を提供できるようにすることを目的とする。
また、小型で強力な磁石による止め具を備えたブレスレットを提供できるようにすることを第２の目的とする。
また、小型で強力な磁石による止め具を備えたネックレスを提供できるようにすることを第３の目的とする。
また、小型で強力な磁石による止め具を備えたブレスレットと小型で強力な磁石による止め具を備えたネックレスとを組み合わせて構成された数珠を提供できるようにすることを第４の目的とする。
【課題を解決するための手段】
【０００９】
本発明の磁石を用いた輪状装飾品の止め具は、磁石により形成されて相互に磁気吸着する一方の止め具１１と他方の止め具１２とにより構成された止め具１０であって、上記一方の止め具１１及び他方の止め具１２は中空の筒形に形成され、上記一方の止め具１１には一方の掛止部１１ａが形成され、上記他方の止め具１２には他方の掛止部１２ａが形成されており、上記一方の掛止部１１ａ及び他方の掛止部１２ａの中央部には透孔１１ｂ、１２ｂがそれぞれ形成されており、上記一方の止め具１１及び他方の止め具１２の内部空間内に挿入される輪状装飾品の芯線１３の端部を保持した状態で、上記一方の止め具１１と上記他方の止め具１２とを磁気吸着させることにより、上記芯線１３を輪状に支持可能にしたことを特徴としている。
また、本発明の他の特徴とするところは、上記一方の止め具１１及び他方の止め具１２は、鉄（Fe）及びボロン（B）を主成分とする鉄−ボロン系希土類磁石により構成されていることを特徴としている。
【００１０】
本発明の磁石による止め具を備えたブレスレットは、上記の何れかに記載の磁石を用いた輪状装飾品の止め具を備えたブレスレットであって、上記芯線２３上に複数の装飾部材２１、２２が配設されて輪状装飾品が構成されているとともに、上記輪状装飾品に装飾ヘッド２４が取り付けられていることを特徴としている。
また、本発明の他の特徴とするところは、上記複数の装飾部材２１、２２間に磁石により形成したリング状の飾り部材２５を配設したことを特徴としている。
【００１１】
本発明の磁石による止め具を備えたネックレスは、上記の何れかに記載の磁石を用いた輪状装飾品の止め具を備えたネックレスであって、上記芯線２３上に複数の装飾部材２１、２２が配設されて輪状装飾品が構成されているとともに、上記輪状装飾品に装飾ヘッド２４が取り付けられていることを特徴としている。
また、本発明の他の特徴とするところは、上記複数の装飾部材２１、２２間に磁石により形成したリング状の飾り部材２５を配設したことを特徴としている。
【００１２】
本発明のブレスレットとネックレスとを磁石を用いて組み合わせた数珠は、上記の何れかに記載のブレスレットと、上記の何れかに記載のネックレスとを組み合わせた数珠であって、上記ブレスレット及びネックレスの装飾ヘッド２４を数珠の房部分として使用することを特徴としている。
【発明の効果】
【００１３】
本発明によれば、磁石自体で一方の止め具及び他方の止め具よりなる止め具を構成したので、大きさの割には大きな磁気吸着力を得ることができるとともに、見栄えに優れた輪状装飾品の止め具を提供することができる。
また、本発明のその他の特徴によれば、上記一方の止め具及び他方の止め具を、鉄及びボロンを主成分とする鉄−ボロン系希土類磁石により構成したので、大きな磁気吸着力を得ることができる。
【００１４】
また、本発明の他の特徴によれば、磁石自体で一方の止め具及び他方の止め具を用いて構成したので、小型で強力な磁気吸着力が得られ、しかも見栄えに優れたブレスレットを提供することができる。
また、本発明のその他の特徴によれば、磁石により構成した飾り部材を配設したので、ブレスレットを装着している手首や足首等に磁力線を放射することができる。
【００１５】
また、本発明のその他の特徴によれば、磁石自体で一方の止め具及び他方の止め具を用いて構成したので、小型で強力な磁気吸着力が得られ、しかも見栄えに優れたネックレスを提供することができる。
また、本発明のその他の特徴によれば、磁石により構成した飾り部材を配設したので、ネックレスを装着している首部分に磁力線を放射することができる。
【００１６】
また、本発明のその他の特徴によれば、上記の何れかに記載のブレスレットと、上記の何れかに記載のネックレスとで数珠本体部分を構成するとともに、上記数珠本体に房部分を取り付けて構成したので、磁石自体で一方の止め具及び他方の止め具よりなる止め具を用いて構成したので、必要に応じて組み立てて使用することができる数珠を提供することができる。
【発明を実施するための最良の形態】
【００１７】
以下、図面を参照しながら本発明の磁石を用いた輪状装飾品の止め具、磁石による止め具を備えたブレスレット、磁石による止め具を備えたネックレス、ブレスレットとネックレスとを磁石を用いて組み合わせた数珠の実施の形態を説明する。
【００１８】
図１〜図４は、本発明の磁石を用いた輪状装飾品の止め具の実施の形態を説明する図である。
これらの図１〜図４から明らかなように、本実施の形態の止め具１０は、一方の止め具１１と他方の止め具１２とにより構成されている。
【００１９】
上記一方の止め具１１及び他方の止め具１２は、図１中のＸ−Ｘ線に沿う断面図、Ｙ−Ｙ線に沿う断面図に示すように、中空の円筒形に形成されており、上記一方の止め具１１には一方の掛止部１１ａが形成され、上記他方の止め具１２には他方の掛止部１２ａが形成されている。なお、上記一方の止め具１１及び他方の止め具１２は、必ずしも円筒型でなくてもよく、他の形状の筒形でもよい。
【００２０】
そして、上記一方の掛止部１１ａの中央部には透孔１１ｂが形成されており、上記他方の掛止部１２ａの中央部には透孔１２ｂが形成されている。上記透孔１１ｂ及び透孔１２ｂは、図２に示すように、ワイヤまたは樹脂製の紐等よりなる芯線１３の端部を上記一方の止め具１１及び他方の止め具１２の内部空間内に導入するために形成するために形成されているものである。
【００２１】
上記一方の止め具１１及び他方の止め具１２の内部空間内に導入された上記芯線１３の端部には抜け止め用の掛止め具１４が取り付けられており、上記一方の止め具１１及び他方の止め具１２の内部空間に導入された端部が抜け落ちないようになされている。
【００２２】
上述のように構成された一方の止め具１１及び他方の止め具１２は極性が相互に異なる磁石によって構成されている。すなわち、上記一方の止め具１１において開放端部１１ｃをＮ極で形成した場合には、上記他方の止め具１２の開放端部１２ｃをＳ極で形成するようにして、図４に示すように、それぞれの開放端部１１ｃ、１２ｃ同士を磁気吸着させることができるようにしている。
【００２３】
上記一方の止め具１１及び他方の止め具１２を構成する磁石として、本実施の形態においては鉄−ボロン系の希土類磁石によって構成されている。上記希土類磁石とは、レア・アース（希土類）と呼ばれる金属元素であり、その希少性から希（まれ）な土類（アルミナや石灰等を示す）を意味する希土類という名前が付けられている。
【００２４】
フェライト磁石と希土磁石の最大の違いは、その磁気特性の大きさにある。希土類磁石はフェライト磁石と比べてはるかに強力な磁石を構成することが可能である。
【００２５】
ところで、永久磁石の性能を決める要素として、磁化の大きさと保磁力が有るが、希土類磁石は、酸素を含まない状態でFe、Coを含有するので磁化が大きく、さらにレア・アース元素によって磁化を一方向に揃える力(保磁力)が強いため、フェライトに比べてはるかに強力な磁石を構成することができる。
【００２６】
中でも、鉄（Fe）及びボロン（B）を主成分とする鉄−ボロン系希土類磁石は、性能とコストの両方を両立させた希土類磁石として注目されている。また、従来は弱点とされた耐食性もメッキを始めとする各種表面処理によって改善することが可能となっている。これにより、本実施の形態のように、輪状装飾品の止め具として見栄え良く使用することができるものである。
【００２７】
本実施の形態の一方の止め具１１及び他方の止め具１２は、上述した従来例のように止め具に磁石を埋設して構成するのではなく、止め具自体を磁石で形成しているので、大きな磁気吸着力を得ることができ、使用中に不測に外れるような不都合無く使用することができる。また、止め具１０を大きくしなくても大きな磁気吸着力を得ることができるので、見栄え良く止め具１０を形成することができる。
【００２８】
次に、図５を参照しながら本発明の磁石による止め具を備えたブレスレットの実施の形態を説明する。
図５に示したように、本実施の形態の磁石による止め具を備えたブレスレット２０は、止め具として上記実施の形態で開示した止め具１０を用いている。そして、複数の色付きの珠２１、及び複数の透明な珠２２を芯線２３上に通してリング状に構成している。また、本実施の形態においては、上記止め具１０の反対側の位置に色付きの珠２１を４個連結して装飾ヘッド２４を構成している。本実施の形態においては、輪状を形成する上記芯線２３から分岐させて色付きの珠２１の複数（図の例では４個）を順次連ねて扇状として装飾ヘッド２４を形成している。
【００２９】
さらに、上記色付きの珠２１と透明な珠２２との間にリング状の飾り部材２５を配設して見栄えを向上させている。また、本実施の形態においては上記リング状の飾り部材２５を磁石で形成して磁力線を放射できるようにして、磁気による健康促進作用が得られるようにしている。
【００３０】
上述のように構成された本実施の形態のブレスレット２０は、手首や足首等に装着する場合には、上記止め具１０を構成する一方の止め具１１及び他方の止め具１２を離間させ、ブレスレット２０を上記手首や足首等に装着後に上記一方の止め具１１と他方の止め具１２とを磁気吸着させるようにすればよい。
【００３１】
また、本実施の形態のブレスレット２０は、上述した止め具１０を使用しているので、上記一方の止め具１１と上記他方の止め具１２とを確りと磁気吸着させた状態で使用することができ、ブレスレット２０を使用中に上記止め具１０が不測に外れるような不都合無く使用することができる。
【００３２】
したがって、本実施の形態のブレスレット２０の場合は装着及び離脱時の操作性に優れ、しかも使用中には大きな磁気吸着力で身体に確りと保持することが可能なブレスレット２０を提供することができる。
【００３３】
次に、図６を参照しながら本発明の磁石による止め具を備えたネックレスの実施の形態を説明する。
図６に示したように、本実施の形態のネックレス３０は、ネックレス３０の開閉部分の止め具として、上記実施の形態で開示した止め具１０を用いている。そして、本実施の形態においても複数の色付きの珠２１、及び複数の透明な珠２２を芯線２３上に通してリング状に構成している。また、本実施の形態においては、上記止め具１０の反対側の位置に、色付きの珠２１を上記ブレスレット２０における装飾ヘッド２４を同様に、芯線２３から分岐させて５個接続して扇状として装飾ヘッド２４を構成している。
【００３４】
さらに、本実施の形態のネックレス３０においても、上記色付きの珠２１と透明な珠２２との間にリング状の飾り部材２５を配設して見栄えを向上させている。そして、上述したブレスレット２０の場合と同様に、上記リング状の飾り部材２５を磁石で形成して磁力線を放射できるようにしている。
【００３５】
上述のように構成された本実施の形態のネックレス３０を身体の胸部に装着する場合には、上記止め具１０を構成する一方の止め具１１及び他方の止め具１２を離間させ、身体の胸部に装着した後に上記一方の止め具１１と他方の止め具１２とを磁気吸着させるようにすればよい。
【００３６】
また、本実施の形態のネックレス３０においても、上述した止め具１０を使用しているので、上記一方の止め具１１と上記他方の止め具１２とを確りと磁気吸着させた状態で使用することができ、ネックレス３０を使用中に上記止め具１０が不測に外れるような不都合無く、ネックレス３０を使用することができる。
【００３７】
次に、図７を参照しながらブレスレットとネックレスとを磁石を用いて組み合わせた数珠の実施の形態を説明する。
本実施の形態の数珠４０は、上述した実施の形態のブレスレット２０とネックレス３０とを用いて数珠本体４１を構成している。
すなわち、図７中において、２点鎖線５０で示した一方の側がネックレス３０であり、他方の側がブレスレット２０である。
【００３８】
そして、上記ネックレス３０の一方の止め具１１と、上記ブレスレット２０の他方の止め具１２とを磁気吸着させるとともに、上記ネックレス３０の他方の止め具１２と上記ブレスレット２０の一方の止め具１１とを磁気吸着させて数珠本体４１を構成している。また、上述したブレスレット２０及びネックレス３０における装飾ヘッド２４を数珠の房部分として使用するように構成したものである。
【００３９】
このように、ブレスレット２０及びネックレス３０を用いて数珠４０を構成可能にすることにより、例えば、婦人が葬儀に参加するときに、行くときにはブレスレット２０及びネックレス３０を身体に付けて行く。そして、葬儀会場に着いてから首からネックレス３０を外し、手首からブレスレット２０を外して、上記一方の止め具１１及び他方の止め具１２を用いて結合させることにより、数珠４０として使用することが可能となる。また、本実施の形態の数珠４０は、上記装飾ヘッド２４を手の両側に位置させて使用することができるので、格式の高い数珠として使用することができる。
【００４０】
なお、上述実施の形態においては、上記リング状の飾り部材２５を磁石で形成して磁力線を放射できるようにした例を示したが、上記リング状の飾り部材２５は必ずしも磁石で形成する必要はない。また、リング状の飾り部材２５を配設しなくてもよい。
【図面の簡単な説明】
【００４１】
【図１】本発明の磁石を用いた輪状装飾品の止め具の実施の形態を示し、一方の止め具と他方の止め具とからなる止め具の正面図である。
【図２】図１中のＸ−Ｘ線に沿う断面図である。
【図３】図１中のＹ−Ｙ線に沿う断面図である。
【図４】一方の止め具と他方の止め具とが磁気吸着している状態を示す図である。
【図５】磁石による止め具を備えたブレスレットの全体構成を説明する図である。
【図６】磁石による止め具を備えたネックレスの全体構成を説明する図である。
【図７】ブレスレットとネックレスとを磁石を用いて組み合わせた数珠の全体構成を説明する図である。
【符号の説明】
【００４２】
１０    止め具
１１    一方の止め具
１１ａ  一方の止め具
１１ｂ  透孔
１１ｃ  開放端部
１２    他方の止め具
１２ａ  他方の掛止部
１２ｂ  透孔
１２ｃ  開放端部
１３    芯線
１４    掛止め具
２０    ブレスレット
２１    色付きの珠
２２    透明な珠
２３    芯線
２４    装飾ヘッド
２５    リング状の飾り部材
３０    ネックレス
４０    数珠
４１    数珠本体
５０    ２点鎖線
【図１】
2005152335.tif 000003
【図２】
2005152335.tif 000004
【図３】
2005152335.tif 000005
【図４】
2005152335.tif 000006
【図５】
2005152335.tif 000007
【図６】
2005152335.tif 000008
【図７】
2005152335.tif 000009